(57)【要約】【課題】低コスト化とアース端子の確実な回り止めとを両立できるアース端子の取付構造を提供することを目的とする。【解決手段】アース端子の取付構造１は、アース端子１０を車両のボディ３０に対してボルト締めにより取り付けるものであって、アース端子１０が、ボルト４０を挿通可能な端子側ボルト挿通孔１３を備える接地部１２と、電線と接続可能な接続部１１とを備え、ボディ３０が、端子側ボルト挿通孔１３と同軸に設けられてボルト４０を挿通可能な車両側ボルト挿通孔３１を備えている。そして、端子側ボルト挿通孔１３の孔縁には、ボディ３０側に突出する回り止め片１５が設けられ、車両側ボルト挿通孔３１の孔縁には、回り止め片１５を受け入れ可能な回り止め受部３２が設けられている。このような構成によれば、低コスト化とアース端子１０の確実な回り止めとを両立できる。【選択図】図７
2014165168.tif 000002
【特許請求の範囲】
【請求項１】
アース端子を被取付部に対してボルト締めにより取り付けるアース端子の取付構造であって、
前記アース端子が、ボルトを挿通可能な端子側ボルト挿通孔を備える接地部と、電線と接続可能な接続部とを備え、
前記被取付部が、前記端子側ボルト挿通孔と同軸に設けられて前記ボルトを挿通可能な被取付部側ボルト挿通孔を備え、
前記端子側ボルト挿通孔および前記被取付部側ボルト挿通孔のうち一方の孔縁に他方に向かって突出する回り止め部が設けられ、他方の孔縁に前記回り止め部を受け入れ可能な回り止め受部が設けられたものである、アース端子の取付構造。
【請求項２】
前記回り止め部の突出長さが、前記被取付部の厚さと等しく設計されたものである、請求項１に記載のアース端子の取付構造。
【発明の詳細な説明】
【技術分野】
【０００１】
本発明は、アース端子の取付構造に関する。
【背景技術】
【０００２】
自動車のボディにアース線を接続する際には、アース線の先端に設けたアース端子を、ボディの金属パネルに設けられた取付孔にボルトとナットとを用いて取り付けることが一般的である。
【０００３】
ところで、ボディにねじ止めされるアース端子は、ボディに対して回り止めしておかないと、ねじ止め作業の際に不用意にアース端子が回転して十分な締め付けができなかったり、車体の振動等によるアース端子の回転で締め付けが緩んで、接触不良を招いたりするおそれがある。
【０００４】
そこで、従来のアース端子では、回り止め構造として、ボディに設けられた係止孔に係合する回り止め突起を一体形成している（特許文献１参照）。
【先行技術文献】
【特許文献】
【０００５】
【特許文献１】特開２０００−２０８１７２号公報
【発明の概要】
【発明が解決しようとする課題】
【０００６】
ところで、近年、車両に使用される部品のさらなる低コスト化の要請が強まってきている。
本発明は上記のような事情に基づいて完成されたものであって、低コスト化とアース端子の確実な回り止めとを両立できるアース端子の取付構造を提供することを目的とする。
【課題を解決するための手段】
【０００７】
本発明は、アース端子を被取付部に対してボルト締めにより取り付けるアース端子の接続構造であって、前記アース端子が、ボルトを挿通可能な端子側ボルト挿通孔を備える接地部と、電線と接続可能な接続部とを備え、前記被取付部が、前記端子側ボルト挿通孔と同軸に設けられて前記ボルトを挿通可能な被取付部側ボルト挿通孔を備え、前記端子側ボルト挿通孔および前記被取付部側ボルト挿通孔のうち一方の孔縁に他方に向かって突出する回り止め部が設けられ、他方の孔縁に前記回り止め部を受け入れ可能な回り止め受部が設けられたものである。
【０００８】
本構成によれば、アース端子の被取付部への取り付けの際には、回り止め部が回り止め受部に嵌まり込んでいるため、ボルト締めに伴ってアース端子が連れ回りすることが防止される。
【０００９】
また、ボルトを挿通させるための被取付部側ボルト挿通孔と、回り止め部を係止するための回り止め受部とを一体化させているので、アース端子の取り付けのために被取付部側に設ける孔の数を削減できる。これにより、製造工程の簡略化を図ることができ、コスト削減を図ることができる。
【００１０】
これにより、低コスト化とアース端子の確実な回り止めとを両立できるアース端子の取付構造を提供できる。
【００１１】
上記構成の実施態様として以下の構成を備えれば好ましい。
【００１２】
前記回り止め部の突出長さが、前記被取付部の厚さと等しく設計されたものであることが好ましい。
このような構成によれば、回り止め部が被取付部の厚さ内に収まる構造となっているから、アース端子の小型化および材料費の低減を図ることができ、さらに、被取付部においてアース端子の取り付け位置周辺の無駄なスペースの削減を図ることができる。加えて、回り止め部が被取付部から突出しない限度で、回り止め力が最大限となるように設計することができ、確実な回り止めを図ることができる。
【発明の効果】
【００１３】
本発明によれば、低コスト化とアース端子の確実な回り止めとを両立できるアース端子の取付構造を提供することができる。
【図面の簡単な説明】
【００１４】
【図１】実施形態において、アース端子を備えるアースジョイントコネクタがボディ上に配された様子を示す斜視図
【図２】アース端子を備えるアースジョイントコネクタがボディ上に配された様子を示す上面図
【図３】アース端子を備えるアースジョイントコネクタがボディ上に配された様子を示す正面図
【図４】アース端子を備えるアースジョイントコネクタがボディ上に配された様子を示す背面図
【図５】アース端子を備えるアースジョイントコネクタがボディ上に配された様子を示す側面図
【図６】ボディにおいてアースジョイントコネクタが取り付けられる面の裏側の面を示す図
【図７】図２のＡ−Ａ断面図
【図８】図５のＢ−Ｂ断面図
【図９】変形例においてボディ上に配されたアース端子を図２のＡ−Ａ断面と同位置において切断した断面図
【発明を実施するための形態】
【００１５】
本発明の実施形態１を、図１〜図８を参照しつつ説明する。本実施形態のアース端子の取付構造１は、アース端子１０を車両のボディ３０（被取付部に該当）に対してボルト締めにより取り付けるものである。
【００１６】
本実施形態のアース端子１０は、アースジョイントコネクタ２０に取り付けられた状態で、車両のボディ３０に固定されて、複数の電線を接地する。なお、以下の説明においては、アースジョイントコネクタ２０において、相手側である電線側端子が挿入される側を前側とし、ボディ３０と対向する側を下側とする。
【００１７】
アースジョイントコネクタ２０は、合成樹脂によりブロック状に形成されたハウジング２１を備える。このハウジング２１は、前後方向に貫通する複数の端子収容部２２を備える。複数の端子収容部２２は、上下方向に二段に並ぶと共に、幅方向に複数並んで形成されている。この端子収容部２２には、前方から、電線に接続された電線側端子（図示せず）が挿入可能とされている。
【００１８】
このハウジング２１に取り付けられるアース端子１０は、導電性の金属板材を所定の形状にプレス加工することにより形成されたものである。このアース端子１０は、電線側端子と接続されるタブを備える接続部１１と、ボディ３０に固定される接地部１２とを備えている。
【００１９】
接続部１１は、接地部１２との接合部分よりもやや前側位置でクランク状に折り曲げられることにより、折り曲げ位置よりも前側部分が、後ろ側部分よりも一段上がった形状に形成されている（図５参照）。折り曲げ位置よりも前側部分は、詳細には図示しないが、その先端が複数のタブに分岐した櫛歯状をなしている。各タブは、端子収容部２２に後方から挿入され、電線側端子を介して電線と接続可能とされている。
【００２０】
接地部１２は、略矩形板状に形成され、接続部１１の斜め後方に配されている。この接地部１２のほぼ中央位置には、図７に示すように、ボルト４０の雄ねじ部４１を挿通可能な端子側ボルト挿通孔１３が板厚方向に貫通形成されている。
【００２１】
一方、車両のボディ３０において、このアース端子１０が固着される領域には、アース端子１０の端子側ボルト挿通孔１３に整合する位置に、ボルト４０の雄ねじ部４１を挿通可能な車両側ボルト挿通孔３１（被取付部側ボルト挿通孔に該当）が貫通形成されている。さらに、ボディ３０において、アース端子１０が固着される側と逆側の面には、ボルト４０と対をなすナット４３が設けられている。
【００２２】
端子側ボルト挿通孔１３は、ナット４３の雌ねじ孔４４よりもやや大きな円形に形成されている。この端子側ボルト挿通孔の内周面には、図２に示すように、その一部が矩形状に切り欠かれることにより、外径方向に凹む凹部１４が設けられている。この凹部１４の奥壁には、下方向（ボディ３０側）に突出する板状の回り止め片１５（回り止め部に該当）が設けられている。この凹部１４および回り止め片１５は、端子側ボルト挿通孔１３の孔縁に、端子側ボルト挿通孔１３の中心を挟んで対向する位置に一対が設けられている。回り止め片１５の突出高さは、図７に示すように、ボディ３０において車両側ボルト挿通孔３１が形成された領域の板厚とほぼ等しく設計されている。
【００２３】
一方、車両側ボルト挿通孔３１は、ナット４３の雌ねじ孔４４とほぼ同じ大きさの円形に形成されている。この車両側ボルト挿通孔３１の内周面には、その一部が矩形状に切り欠かれることにより、外径方向に凹む回り止め受部３２が設けられている。この回り止め受部３２は、アース端子１０がボディ３０に固定された状態で回り止め片１５と整合する位置に一対が設けられ、回り止め片１５を受け入れ可能とされている。
【００２４】
ナット４３は、その雌ねじ孔４４が車両側ボルト挿通孔３１と同軸となるように配され、溶接等によりボディ３０に固着されている。
【００２５】
なお、接地部１２、および接続部１１における折り曲げ位置よりも後側部分には、複数条のリブ１６Ａ、１６Ｂが上方に突出して形成されている。端子側ボルト挿通孔１３から離れたところでは、端子側ボルト挿通孔１３の近傍に形成したリブ１６Ａよりも、高さが高く幅寸法の大きいリブ１６Ｂが形成されている。つまり、端子側ボルト挿通孔１３の近傍に剛性の低いリブ１６Ａを設け、端子側ボルト挿通孔１３から離れたところで剛性の高いリブ１６Ｂを設けることで、端子側ボルト挿通孔１３の近傍に応力を集中させることなく、全体に応力を分散させることができるようになっている。
【００２６】
以上のように構成されたアース端子１０をボディ３０に取り付ける際には、アース端子１０の接地部１２をボディ３０の表面に当接させ、端子側ボルト挿通孔１３と車両側ボルト挿通孔３１とを同心に整合させる。すると、回り止め片１５が回り止め受部３２に嵌まり込む。
【００２７】
この状態で、ボルト４０の雄ねじ部４１を、端子側ボルト挿通孔１３および車両側ボルト挿通孔３１に挿通させ、ナット４３の雌ねじ孔４４にねじ付ける。これにより、接地部１２がボルト４０の頭部４２とボディ３０の表面との間で挟み込まれるようにして固定される。このとき、回り止め片１５が回り止め受部３２に嵌まり込んでいるため、ボルト締めに伴ってアース端子１０が連れ回りすることが防止される。
【００２８】
以上のように本実施形態によれば、アース端子の取付構造１は、アース端子１０を車両のボディ３０に対してボルト締めにより取り付けるものであって、アース端子１０が、ボルト４０を挿通可能な端子側ボルト挿通孔１３を備える接地部１２と、電線と接続可能な接続部１１とを備え、ボディ３０が、端子側ボルト挿通孔１３と同軸状に配されてボルト４０を挿通可能な車両側ボルト挿通孔３１を備えている。そして、端子側ボルト挿通孔１３の孔縁には、ボディ３０側に突出する回り止め片１５が設けられ、車両側ボルト挿通孔３１の孔縁には、回り止め片１５を受け入れ可能な回り止め受部３２が設けられている。
【００２９】
このような構成によれば、アース端子１０のボディ３０への取り付けの際には、回り止め片１５が回り止め受部３２に嵌まり込んでいるため、ボルト締めに伴ってアース端子１０が連れ回りすることが防止される。
【００３０】
また、ボルト４０を挿通させるための車両側ボルト挿通孔３１と、回り止め片１５を係止するための回り止め受部３２とを一体化させているので、アース端子１０の取り付けのためにボディ３０側に設ける孔の数を削減できる。これにより、製造工程の簡略化を図ることができ、材料低減を含めてコスト削減を図ることができる。
【００３１】
さらに、回り止め片１５の突出長さが、ボディ３０において車両側ボルト挿通孔３１が形成された領域の板厚とほぼ等しく設計されている。このように、回り止め片１５がボディ３０の板厚内に収まる構造となっているから、アース端子１０の小型化および材料費の低減を図ることができ、さらに、車両においてアース端子１０の取り付け位置周辺の無駄なスペースの削減を図ることができる。加えて、回り止め片１５がボディ３０から突出しない限度で、回り止め力が最大限となるように設計することができ、確実な回り止めを図ることができる。
【００３２】
以上により、低コスト化とアース端子１０の確実な回り止めとを両立できるアース端子の取付構造１を提供できる。
【００３３】
＜変形例＞
図９には、変形例のアース端子の取付構造５０を示した。本変形例では、回り止め片５１の突出長さが、ボディ３０において車両側ボルト挿通孔３１が形成された領域の板厚よりも長いが、ボディ３０の板厚とナット４３の厚さを合計した長さよりも短く設計されている。一方、ナット４３には、ナット側受部５２が凹設されている。ナット側受部５２は、ナット４３において、ボディ３０に固着される側の面において、車両側ボルト挿通孔３１の回り止め受部３２に整合する位置に一対が設けられている。このナット側受部５２の深さは、回り止め片５１においてボディ３０の裏面（ナット４３が固着される側の面）から突出する部分の長さにほぼ等しく設計されている。
【００３４】
なお、本変形例において、回り止め片５１とナット側受部５２以外の構成は、上記実施形態と同様であるから、同一の符号を付して説明を省略する。
【００３５】
本変形例の構成によれば、アース端子１０のボディ３０への取り付けの際には、回り止め片５１がボディ３０の回り止め受部３２およびナット４３のナット側受部５２に嵌まり込んでいるため、ボルト締めに伴ってアース端子１０が連れ回りすることが防止される。
【００３６】
また、ボルト４０を挿通させるための車両側ボルト挿通孔３１と、回り止め片５１を係止するための回り止め受部３２とを一体化させているので、取り付けのためにボディ３０側に設ける孔の数を削減でき、製造工程の簡略化を図ることができ、コスト削減を図ることができる。
【００３７】
さらに、回り止め片５１の突出長さを大きくすることで、回り止め片５１とボディおよびナット４３との接触面積を大きくし、回り止め力を強化している。これにより、アース端子１０の確実な回り止めを図ることができる。
【００３８】
加えて、回り止め片５１において、ボディ３０の裏面から突出する先端部分をナット４３の内部に収めるから、車両においてアース端子１０の取り付け位置周辺の無駄なスペースの削減を図ることができる。
【００３９】
＜他の実施形態＞
本発明は上記記述及び図面によって説明した実施形態に限定されるものではなく、例えば次のような実施形態も本発明の技術的範囲に含まれる。
（１）上記実施形態および変形例では、回り止め片１５が端子側ボルト挿通孔に、回り止め受部３２が車両側ボルト挿通孔３１に設けられていたが、回り止め部が被取付部側ボルト挿通孔に、回り止め受部が端子側ボルト挿通孔に設けられていても構わない。
【００４０】
（２）上記実施形態および変形例では、回り止め片１５の数は２個（一対）であったが、回り止め部が１個、または３個以上でも構わない。
【００４１】
（３）上記実施形態では回り止め片１５の突出長さが、ボディ３０において車両側ボルト挿通孔３１が形成された領域の板厚とほぼ等しく設計されていたが、回り止め部の突出長さが被取付部の厚さより小さく設計されていても構わない。
【００４２】
（４）上記実施形態では、複数の端子収容部２２が、上下方向に２段に並んでいたが、端子収容部は１段であってもよく、３段以上であっても構わない。
【符号の説明】
【００４３】
１、５０…アース端子の取付構造
１０…アース端子
１１…接続部
１２…接地部
１３…端子側ボルト挿通孔
１５…回り止め片（回り止め部）
３０…ボディ（被取付部）
３１…車両側ボルト挿通孔（被取付部側ボルト挿通孔）
３２…回り止め受部
【図１】
2014165168.tif 000003
【図２】
2014165168.tif 000004
【図３】
2014165168.tif 000005
【図４】
2014165168.tif 000006
【図５】
2014165168.tif 000007
【図６】
2014165168.tif 000008
【図７】
2014165168.tif 000009
【図８】
2014165168.tif 000010
【図９】
2014165168.tif 000011